【事件の表示】
　商願２０１４−３７７１０拒絶査定不服審判事件について、次のとおり審決する。
【結　論】
　本件審判の請求は、成り立たない。
【理　由】
１　本願商標
　本願商標は、「デオドラントミント」の片仮名を標準文字で表してなり、第３類「家庭用帯電防止剤，家庭用脱脂剤，さび除去剤，染み抜きベンジン，洗濯用柔軟剤，洗濯用漂白剤，口臭用消臭剤，動物用防臭剤，芳香洗浄剤，その他のせっけん類，歯磨き，化粧品，香料，芳香剤（身体用のものを除く。），消臭芳香剤（身体用のものを除く。），その他の薫料」及び第５類「除菌剤（洗濯用・身体用及び工業用のものを除く。），抗菌剤（洗濯用・身体用及び工業用のものを除く。），消臭剤（身体用・動物用及び工業用の消臭剤並びに口臭用消臭剤を除く。），芳香消臭剤（身体用・動物用及び工業用の消臭剤並びに口臭用消臭剤を除く。），その他の薬剤，医療用試験紙，医療用油紙，衛生マスク，オブラート，ガーゼ，カプセル，眼帯，耳帯，生理帯，生理用タンポン，生理用ナプキン，おりもの専用シート，脱脂綿，ばんそうこう，包帯，包帯液，胸当てパッド，おむつ，おむつカバー，防虫紙，乳幼児用粉乳，サプリメント，食餌療法用飲料，食餌療法用食品」を指定商品として、平成２６年５月１３日に商標登録出願されたものである。
２　原査定の拒絶の理由の要点
　原査定は、「本願商標は、『脱臭剤、防臭剤』を意味する『デオドラント』の文字と、『ハッカ』を意味する『ミント』の文字を一連に『デオドラントミント』と書してなるところ、『ハッカを使用した脱臭剤・防臭剤』の意味合いを容易に認識させる。そして、『デオドラント』『ミント』の語が、上記意味合いで使用されている実情もある。よって、これを本願指定商品中、例えば『ミントを使用した口臭用消臭剤・動物用防臭剤・芳香洗浄剤・その他のせっけん類・歯磨き・化粧品・香料・芳香剤（身体用のものを除く。）・消臭芳香剤（身体用のものを除く。）・その他の薫料・消臭剤（身体用・動物用及び工業用の消臭剤並びに口臭用消臭剤を除く。）・芳香消臭剤（身体用・動物用及び工業用の消臭剤並びに口臭用消臭剤を除く。）・その他の薬剤』に使用しても、単に商品の品質・材料・種類を表示するにすぎないものと認める。したがって、本願商標は、商標法第３条第１項第３号に該当し、前記商品以外の商品に使用するときは、商品の品質の誤認を生じさせるおそれがあるから、同法第４条第１項第１６号に該当する。」旨認定、判断し、本願を拒絶したものである。
３　当審においてした審尋
　当審において、平成２８年３月３１日付けで、請求人に対し通知した審尋は、次のとおりである。
　本願商標は、「デオドラントミント」の片仮名を標準文字で表してなるところ、その構成中、「デオドラント」の文字は、別掲（１）のとおり、「防臭剤。脱臭剤。防臭・脱臭効果のあるさま。」の意味を有する語として親しまれているものであり、また、「ミント」の文字は、別掲（２）のとおり、「薄荷（はっか）。ハーブの一種。」の意味を有する語として親しまれているものであって、ミントの代表的なものには、ペパーミント、スペアミント、コーンミント（日本はっか）などがあり、その香りは、メントールのさわやかな香りとスーッとする清涼感を特徴とし、さらに、消臭効果もあるとされ、一般的に商品等への香り付けや消臭のために用いられることが知られている。
　そして、別掲（３）のとおり、本願の指定商品の分野においては、「デオドラント」の語は、防臭・消臭（脱臭）の効果を表す文字として使用されており、防臭や消臭を特徴とする商品について、「ミント」の語は、その原材料や香り付けを表す文字として使用されている。さらに、ミントはハーブの一種であるところ、「デオドラントハーブ」の文字は、別掲（４）のとおり、「デオドラント効果のあるハーブ成分を使用した商品」及び「ハーブの香りがするデオドラント効果のある商品」程の意味合いを表すものとして使用されている事実がある。
　そうとすると、本願商標は、「デオドラント」及びハーブの一種として親しまれている「ミント」の文字からなるものであるから、上記の取引の実情に照らせば、これをその指定商品中、「洗濯用柔軟剤，口臭用消臭剤，動物用防臭剤，芳香洗浄剤，せっけん類，歯磨き，化粧品，香料，芳香剤，消臭芳香剤，薫料，消臭剤，芳香消臭剤，薬剤，サプリメント，食餌療法用飲料，食餌療法用食品」に使用した場合、取引者、需要者は、その商品が「デオドラント効果のあるミント成分を使用した商品」及び「ミントの香りがするデオドラント効果のある商品」程の意味を認識するにすぎないものというのが相当であるから、本願商標は、商品の品質を普通に用いられる方法で表示するものである。 
　したがって、本願商標は、商標法第３条第１項第３号に該当する。
４　審尋に対する意見の要旨
　請求人は、前記３の審尋に対して、平成２８年５月１３日付け回答書により、「本願商標は、外観上一連一体に把握され、その全体を一気に称呼し得るものであり、請求人（出願人）が本願商標の使用に係る商品の品質等を需要者取引者に暗示的に想起せしめることを工夫して案出した一種の造語であって、決して、需要者、取引者に商品の品質等を直感的に認識せしめるものではない。本願商標は、その構成文字に照らして、『脱臭・防臭』や『ミント』と何らかの関連があることを示唆するとしても、商取引における実情を鑑みるに、需要者、取引者に対して暗示的・間接的にかかる意味合いとの関連性を何となく想像させるにすぎず、『ハッカを使用した脱臭剤・防臭剤』のような意味合いを直感的・直接的に表示するものではない。『デオドラントミント』の語は、本願の指定商品の取引市場において、一切使用されていないから、『デオドラントミント』とは構成を全く異にする文字（すなわち、「デオドラントハーブ」）の使用例を引用して、本願商標について、『・・・取引者、需要者は、その商品が「デオドラント効果のあるミント成分を使用した商品」及び「ミントの香りがするデオドラント効果のある商品」であると認識するにすぎないというべきである。』と結論付けることは全く納得できない。したがって、本願商標は、指定商品の品質、材料等を普通に用いられる方法で表示する標章として取引者・需要者の間に理解・認識されているものと認定すべき事情にはなく、むしろ、請求人（出願人）が鋭意工夫して採択した造語であると認定されるべきである」旨述べている。
５　当審の判断
（１）商標法第３条第１項第３号について
　本願商標は、「デオドラントミント」の片仮名を標準文字で表してなるところ、前記３の審尋のとおり、これをその指定商品中、「洗濯用柔軟剤，口臭用消臭剤，動物用防臭剤，芳香洗浄剤，せっけん類，歯磨き，化粧品，香料，芳香剤，消臭芳香剤，薫料，消臭剤，芳香消臭剤，薬剤，サプリメント，食餌療法用飲料，食餌療法用食品」に使用した場合、取引者、需要者は、その商品が「デオドラント効果のあるミント成分を使用した商品」及び「ミントの香りがするデオドラント効果のある商品」であると認識するにすぎないものであるから、本願商標は、商品の品質を普通に用いられる方法で表示する商標というのが相当である。
　したがって、本願商標は、商標法第３条第１項第３号に該当する。
（２）請求人の主張について
　ア　請求人は、ミントの消臭作用はミントの抗菌作用の副次的作用であるから、ミントの作用のうち、デオドラント（消臭）作用の比重は極めて低いと主張する。
　しかしながら、ミントには消臭効果があり（別掲（２））、本願の指定商品に係る分野において、ミント成分により消臭効果を発揮する商品及びミントが香り付けに使用されている防臭・消臭商品が取引され、これら商品について、ミント成分を用いていることやミントの香りであることが、商品の特徴として紹介、説明されている実情があることをも踏まえれば（別掲（３））、本願商標「デオドラントミント」は、これに接する取引者、需要者が、その構成中の「ミント」の片仮名が「ミント成分」及び「ミントの香り」を表したものとして認識するというのが相当である。
　イ　請求人は、「デオドラント」の語が防臭・消臭（脱臭）の効果を表す文字として使用され、「ミント」の語が、その原材料や香り付けを表す文字として使用されている事実（別掲（３））は、各指定商品の分野ごとに１件ないし５件にすぎず、また、「デオドラントハーブ」の文字の使用例は、「デオドラントミント」の使用例ではなく、その審尋で示された「デオドラントハーブ」の使用例（別掲（４））も、請求人において使用と認められるのはわずか６件であるから、これをもって、指定商品の一つ一つについて、「デオドラント」及び「デオドラントハーブ」の語が普遍的かつ広範に使用されているとはいえないと主張する。
　しかしながら、「デオドラント」は、「防臭剤。脱臭剤。防臭・脱臭効果のあるさま。」の意味を有する既成の語（別掲（１））であって、これが本願の指定商品中、衣服、身体、居住空間における防臭・消臭等を特徴とし、一般消費者を主な需要者とすることにおいて共通する商品に幅広く使用されている事実があることからすれば（別掲（３））、当該商品分野における需要者は、「デオドラント」の語から直ちに防臭・消臭（脱臭）の効果の意味合いを理解するというべきであるのに加え、「ミント」の語については上記アのとおりであり、さらに、ミントはハーブの一種であるところ、「デオドラントハーブ」の語の実際の使用状況（別掲（４））をも踏まえて考察すれば、本願商標を上記商品に使用した場合、これに接する需要者は、「デオドラントミント」の片仮名が「デオドラント効果のあるミント成分を使用した商品」及び「ミントの香りがするデオドラント効果のある商品」であることを表したものと容易に認識するというのが相当である。
　ウ　請求人は、本願商標は、指定商品の品質、材料等を普通に用いられる方法で表示する標章として取引者、需要者の間に理解、認識されているものと認定すべき事情にはなく、むしろ、請求人が鋭意工夫して採択した造語であると認定されるべきであると主張する。
　しかしながら、本願商標が一体的に構成されているとしても、防臭・消臭商品ないし香りを有する商品に広く使用されている「デオドラント」及び「ミント」の語からなる本願商標は、上記（１）に記載の商品との関係において、商品の品質を表示するものとして認識されると判断するのが相当であり、自他商品の識別標識としての機能を果たすものということはできない。
　エ　上記のとおり、請求人の主張はいずれも妥当とはいえない。
（３）まとめ
　以上のとおり、本願商標は、商標法第３条第１項第３号に該当し、登録することができない。
　よって、結論のとおり審決する。